(57)【特許請求の範囲】
【請求項１】
はじかれて振動する振動体と、
前記振動体をはじいて励振する励振手段と、
前記振動体の振動波形を検出して前記振動波形を表す振動信号を出力する検出手段と、
前記振動信号を増幅する増幅手段と、
前記増幅された振動信号に基づいて発音する放音手段と、
初期状態において前記増幅手段を無効化し、前記励振手段が駆動され、前記振動体がはじかれて振動開始する前までのいずれかのタイミングにおいて前記増幅手段を有効化する制御手段と、を備え、
前記励振手段は、移動して前記振動体をはじく可動部を備え、
前記制御手段は、前記励振手段の可動部が駆動開始されたタイミングからの経過時間が所定の時間に達したとき、前記増幅手段を有効化し、
前記可動部の移動速度に応じて、前記所定の時間が設定されている、楽器。
【発明の詳細な説明】
【技術分野】
【０００１】
本発明は、振動体（金属片、弦など）をはじいて発音する楽器に関する。
【背景技術】
【０００２】
下記特許文献１に記載されているように、鍵を押すと、前記鍵に組み付けられた爪又は前記鍵に連動して回動するレバーに組み付けられた爪によって振動板がはじかれて発音する楽器は知られている。
【先行技術文献】
【特許文献】
【０００３】
【特許文献１】特開２００９−２２９５３４号公報
【発明の概要】
【０００４】
上記従来の楽器においては、振動板の振動が共鳴箱によって増幅されて放音されるだけであり、音量が比較的小さい。
【０００５】
本発明は上記問題に対処するためになされたもので、その目的は、振動体をはじいて発音する楽器であって、大きな音を発することができる楽器を提供することにある。なお、下記本発明の各構成要件の記載においては、本発明の理解を容易にするために、実施形態の対応箇所の符号を括弧内に記載しているが、本発明の各構成要件は、実施形態の符号によって示された対応箇所の構成に限定解釈されるべきものではない。
【０００６】
上記目的を達成するために、本発明の特徴は、はじかれて振動する振動体（２１ｎ）と、前記振動体をはじいて励振する励振手段（１７ｎ）と、前記振動体の振動波形を検出して前記振動波形を表す振動信号を出力する検出手段（３２ｎ）と、前記振動信号を増幅する増幅手段（３３ｎ）と、前記増幅された振動信号に基づいて発音する放音手段（３６）と、初期状態において前記増幅手段を無効化し、前記励振手段が駆動され、前記振動体がはじかれて振動開始する前までのいずれかのタイミングにおいて前記増幅手段を有効化する制御手段と、を備え、前記励振手段は、移動して前記振動体をはじく可動部（１１ｎ、１７ｎ）を備え、前記制御手段は、前記励振手段の可動部が駆動開始されたタイミングからの経過時間が所定の時間（ｐｔｖ）に達したとき、前記増幅手段を有効化し、前記可動部の移動速度に応じて、前記所定の時間が設定されている楽器（１）としたことにある。なお、「増幅手段を無効化する」とは、増幅手段の動作を停止させることのみならず、増幅手段の増幅度を十分に小さく設定し、実質的に増幅手段が停止しているとみなすことができる状態に設定することを含む。
【０００７】
本発明によれば、振動体の振動を表す信号が増幅されて放音手段から音として発せられる。よって、本発明に係る楽器は、上記特許文献１の楽器に比べて、大きな楽音を発することができる。また、振動体がはじかれて振動開始する前に、増幅手段が有効化される。よって、振動体がはじかれた直後の特徴的な振動（高調波を多く含んだ振動）を増幅して放音できる。
【００１０】
励振手段が駆動開始されてから振動体がはじかれるまでの時間を計測（又は計算）して、増幅手段を無効化した状態に保持する時間を予め決定しておけば、励振手段と振動体との位置関係を検出する検出器を設ける必要がない。
【図面の簡単な説明】
【００１１】
【図１】本発明の一実施形態に係る楽器の１つの鍵に関する構成を示す斜視図である。
【図２】図１の楽器の側面図である。
【図３】連結部材が湾曲する様子を説明する概略図である。
【図４】サウンドシステムのブロック図である。
【図５】増幅度の変化を示すグラフである。
【図６】本発明の変形例に係るサウンドシステムのブロック図である。
【図７】本発明の変形例に係る楽器の増幅度の変化を示すグラフである。
【図８】本発明の他の変形例に係る楽器の増幅度の変化を示すグラフである。
【発明を実施するための形態】
【００１２】
本発明の一実施形態に係る楽器１について説明する。楽器１は、図１及び図２に示すように、鍵盤装置１０、音源部２０及びサウンドシステム３０を備える。鍵盤装置１０、音源部２０及びサウンドシステム３０は、楽器１の筐体に固定されている。
【００１３】
鍵盤装置１０は、鍵１１ｎ＝Ｃ３，Ｃ＃３，・・・，Ｃ５、フレーム１２、鍵支持部１３ｎ＝Ｃ３，Ｃ＃３，・・・，Ｃ５、ストッパ１４，１５、コイルばね１６ｎ＝Ｃ３，Ｃ＃３，・・・，Ｃ５、爪１７ｎ＝Ｃ３，Ｃ＃３，・・・，Ｃ５、及び連結部材１８ｎ＝Ｃ３，Ｃ＃３，・・・，Ｃ５を備える。本実施形態では、鍵盤装置１０は、２５個（２オクターブ分）の鍵１１ｎを備えているが、鍵の数はこれに限られず、任意に設定可能である。なお、以下の説明において、各部品の符号の添え字である「ｎ」は、その部品に割り当てられた音高を表す。
【００１４】
鍵１１ｎは、前後方向に延設されている。鍵１１ｎ＝Ｃ３，Ｃ＃３，・・・，Ｃ５は、横方向（図２の紙面に垂直な方向）に並べられている。図２に例示する鍵１１ｎは、ピアノの白鍵と同様の形状を有するが、ピアノの黒鍵と同様の形状を有していても良い。つまり、鍵１１ｎは、割り当てられた音高に応じた形状を有していれば良い。鍵１１ｎは、合成樹脂製であり、射出成形法を用いて一体的に形成されている。鍵１１ｎは、その長手方向における中間部にて、フレーム１２に設けられた鍵支持部１３ｎに支持されている。フレーム１２は、鍵盤装置１０を構成する部材を支持する。鍵支持部１３ｎは、横方向（鍵１１ｎの並び方向）に平行に延びる軸部１３１ｎを有している。鍵１１ｎは、軸部１３１ｎの軸線回りに回動可能に支持されている。鍵１１ｎの前端部及び後端部の下方には、鍵１１ｎの回動範囲を規定するストッパ１４，１５がそれぞれ設けられている。ストッパ１４，１５は、合成ゴム、フエルトなどの衝撃吸収部材で構成され、最低音の鍵１１ｎ＝Ｃ３から最高音の鍵１１ｎ＝Ｃ５に亘るように横方向に延設されている。鍵１１ｎの前端部の下方には、コイルばね１６ｎが設けられている。鍵１１ｎの前端が下方へ押されると、鍵１１ｎは軸部１３１ｎ回り（図２において反時計回り）に回動する。その際、鍵１１ｎの前端部がコイルばね１６ｎに当接してコイルばね１６ｎを押し縮める。そして、鍵１１ｎの前端部の下面がストッパ１４に当接して、鍵１１ｎの回動が規制される。つぎに、鍵１１ｎが解放されると、前記押し縮められたコイルばね１６ｎの反発力により、鍵１１ｎの前端部が上方へ押されて、鍵１１ｎが軸部１３１ｎ回り（図２において時計回り）に回動する。そして、鍵１１ｎの後端部の下面がストッパ１５に当接して、鍵１１ｎの回動が規制される。
【００１５】
鍵１１ｎの後端部には、振動板２１ｎをはじく爪１７ｎが組み付けられている。爪１７ｎは、楔形状を有する。すなわち、後方へ向かうに従って、その厚さ（上下方向の寸法）が徐々に小さくなっている。鍵１１ｎの後端部の上面と爪１７ｎの上面とが薄板状の連結部材１８ｎによって連結されている。すなわち、連結部材１８ｎの前側部の下面が鍵１１ｎの後端部の上面に接合され、連結部材１８ｎの後側部の下面が爪１７ｎの前端部の上面に接合されている。自然状態（爪１７ｎに外力が加えられない状態）において、鍵１１ｎの上面と爪１７ｎの上面は、略同一平面内に位置している。連結部材１８ｎは、可撓性を有する。すなわち、図３に示すように、爪１７ｎの後端に上方への力が作用すると、連結部材１８ｎの後側部が上側へ湾曲するように変形し、爪１７ｎの上面が鍵１１ｎの上面に対して傾斜した状態になる。一方、連結部材１８ｎの後端に下方への力が作用した場合には、爪１７ｎの前端面が鍵１１ｎの後端面に当接するので、連結部材１８ｎは湾曲せず、鍵１１ｎに対する爪１７ｎの姿勢は自然状態と同一である。なお、連結部材１８ｎは、金属製又は合成樹脂製のヒンジであってもよい。また、爪１７ｎと連結部材１８ｎとが一体的に形成されていてもよい。なお、爪１７ｎは、本発明の励振手段の可動部に相当する。
【００１６】
複数の鍵１１ｎの後方には、音源部２０が配置されている。音源部２０は、振動板２１ｎ＝Ｃ３，Ｃ＃３，・・・，Ｃ５、及び共鳴箱２２を備える。振動板２１ｎは、鍵１１ｎの後方に配置されている。振動板２１ｎは、金属製である。振動板２１ｎは、本体部２１１ｎと基端部２１２ｎとを有する。本体部２１１ｎは前後方向に延びる板状に形成されている。本体部２１１ｎの板厚方向が上下方向に一致している。本体部２１１ｎの長手方向の寸法は、割り当てられた音高に応じて設定されている。すなわち、本体部２１１ｎの固有周波数が、割り当てられた音高の周波数に対応している。本体部２１１ｎの後端が基端部２１２ｎの前端に接続されている。基端部２１２ｎの幅方向の寸法は、本体部２１１ｎの幅方向の寸法よりも大きい。基端部２１２ｎは、共鳴箱２２の上面に固定されている。基端部２１２ｎが共鳴箱２２に固定された状態において、本体部２１１ｎは、共鳴箱２２の前端から前方へ突出している。本体部２１１ｎの前端部は、爪１７ｎの後端部の少し上方に位置している。鍵１１ｎが押されて図２において反時計回りに鍵１１ｎが回動し、爪１７ｎによって本体部２１１ｎの前端部がはじかれる。その後、その鍵１１ｎが解放されて、図２において時計回りに鍵１１ｎが回動すると、爪１７ｎが本体部２１１ｎの前端に当接するが、爪１７ｎの後端が上方へ押されて連結部材１８ｎが湾曲する。つまり、爪１７ｎが本体部２１１ｎを押さえつけない。そのため、本体部２１１ｎが振動している最中に、鍵１１ｎが解放されたとしても、爪１７ｎが本体部２１１ｎの振動を停止させたり、大きな異音（ビビリ）を発生させたりすることなく、鍵１１ｎ及び爪１７ｎが元の位置（図２の状態）に戻る。
【００１７】
共鳴箱２２は、木製の箱であり、本体部２１１ｎの振動に共鳴して音を発する。共鳴箱２２は、最低音の鍵１１ｎ＝Ｃ３の後方に位置する部分から最高音の鍵１１ｎ＝Ｃ５の後方に位置する部分に亘るように横方向に長く形成されている。ただし、鍵１１ｎごとに個別の共鳴箱が設けられても良い。
【００１８】
サウンドシステム３０は、図４に示すように、鍵操作検出器３１ｎ＝Ｃ３，Ｃ＃３，・・・，Ｃ５、振動検出器３２ｎ＝Ｃ３，Ｃ＃３，・・・，Ｃ５、プリアンプ３３ｎ＝Ｃ３，Ｃ＃３，・・・，Ｃ５、加算器３４、パワーアンプ３５、スピーカ３６、及び制御部３７を備える。
【００１９】
鍵操作検出器３１ｎは、鍵１１ｎの下方に配置されている。鍵操作検出器３１ｎは、前後方向に離間した第１スイッチ及び第２スイッチからなる。鍵１１ｎが押されて、鍵操作検出器３１ｎの上面が鍵１１ｎの下面に当接して押圧されると、前記第１スイッチ及び第２スイッチがこの順にオフ状態からオン状態へ切り替わる。両スイッチの状態の切り替わりタイミングの時間差は、押鍵速度に対応している。鍵１１ｎが解放されると、前記第２スイッチ及び第１スイッチがこの順にオン状態からオフ状態へ切り替わる。両スイッチの状態の切り替わりタイミングの時間差は、離鍵速度に対応している。
【００２０】
振動検出器３２ｎは、振動板２１ｎの本体部２１１ｎの下方に配置されている。振動検出器３２ｎは、上下方向に延びる棒状の磁石と、その周りに巻かれたコイルからなる。振動検出器３２ｎの上方にて本体部２１１ｎが振動すると、その振動に応じて振動検出器３２ｎの周辺（とくに上方）の磁界が変動する。その磁界の変動に応じた電流がコイルに流れる。このコイルに流れる電流が本体部２１１ｎの振動波形を表す振動信号ＶＳｎとしてプリアンプ３３ｎに供給される。
【００２１】
プリアンプ３３ｎは、後述する制御部３７によって設定された増幅度ＡＭｎに応じて振動信号ＶＳｎを増幅して加算器３４に供給する。加算器３４は、各プリアンプ３３ｎ＝Ｃ３，Ｃ＃３，・・・，Ｃ５から供給された信号を加算してパワーアンプ３５に供給する。パワーアンプ３５は、加算器３４から供給された信号を増幅してスピーカ３６に供給する。スピーカ３６は、パワーアンプ３５から供給された信号に従って放音する。
【００２２】
制御部３７は、演算部、記憶部、タイマーなどを備えたコンピュータである。制御部３７は、各鍵操作検出器３１ｎの前記２つのスイッチの状態の切り替わりタイミングに基づいて、増幅度ＡＭｎを決定してプリアンプ３３ｎに供給する。具体的には、図５に示すように、制御部３７は、初期状態（電源投入時）において、増幅度ＡＭｎを第１所定値（例えば「０倍」）に設定する。つまり、制御部３７は、プリアンプ３３ｎを無効化する。制御部３７は、鍵１１ｎが押されたこと（前記第２スイッチがオフ状態からオン状態に切り替わったこと）を検出すると、そのタイミングＴ０から所定の保持時間ｐｔｖだけ増幅度ＡＭｎを第１所定値に保持する。制御部３７は、タイミングＴ０からの経過時間が前記保持時間ｐｔｖに達したタイミングＴＭにて、増幅度ＡＭｎを第２所定値（例えば、「１００倍」）に変更する（図５参照）。つまり、制御部３７は、プリアンプ３３ｎを有効化する。なお、本実施形態では、第２所定値は、音高ｎに関わらず、全てのプリアンプ３３ｎに共通である。また、保持時間ｐｔｖは、押鍵速度に応じて設定される。具体的には、各押鍵速度において、鍵１１ｎが押されたことを検出してから、爪１７ｎが振動板２１ｎをはじくまでの時間を予め計測しておく。そして、各押鍵速度における保持時間ｐｔｖを、前記計測結果よりも少し短く設定する。なお、押鍵速度が小さいほど、爪１７ｎが振動板２１ｎに近づく速度が小さい。そのため、押鍵速度が小さいほど、保持時間ｐｔｖが長く設定される。
【００２３】
つぎに、制御部３７は、タイミングＴＭから所定の保持時間ｐｔｎだけ増幅度ＡＭｎを第２所定値に保持する。制御部３７は、タイミングＴＭからの経過時間が前記保持時間ｐｔｎに達したタイミングＴ１にて、増幅度ＡＭｎを第１所定値に変更する。つまり、制御部３７は、プリアンプ３３ｎを無効化する。保持時間ｐｔｎは、振動板２１ｎの振動の減衰時間と同等に（又は振動板２１ｎの振動の減衰時間よりも少し長く）設定されている。音高ｎが高いほど、振動板２１ｎの振動の減衰時間が短い。したがって、音高ｎが高いほど、保持時間ｐｔｎが短く設定されている。
【００２４】
上記のように構成した楽器１によれば、振動板２１ｎの振動を表す信号が増幅されてスピーカ３６から音として発せられる。よって、楽器１は、上記特許文献１の楽器よりも大きな音を発することができる。
【００２５】
また、保持時間ｐｔｖは、鍵１１ｎが押されたことを検出してから、爪１７ｎが振動板２１ｎをはじくまでの時間よりも短い。つまり、振動板２１ｎがはじかれて振動開始する前に、増幅度ＡＭｎが第２所定値に設定される。よって、振動板２１ｎがはじかれた直後の特徴的な振動（高調波を多く含んだ振動）を増幅して放音できる。また、爪１７ｎの位置を検出する検出器を設ける必要がない。
【００２６】
また、増幅度ＡＭｎを制御することなく、増幅度ＡＭｎを大きな第２所定値（例えば「１００倍」）に常に保った場合には、非演奏時（非振動時）におけるノイズが増幅されてスピーカ３６から発せられる虞がある。本実施形態では、制御部３７は、増幅度ＡＭｎを第２所定値に設定したタイミングＴＭから保持時間ｐｔｎを経過したタイミングＴ１にて、増幅度ＡＭｎを第２所定値よりも小さな第１所定値（例えば「０倍」）に戻す。なお、音高（固有周波数）が高い振動板２１ｎの振動は、音高が低い振動板２１ｎの振動に比べて速く減衰する。そこで、音高が高いほど、保持時間ｐｔｎを短く設定している。これにより、振動板２１ｎの振動の減衰に同期して増幅度ＡＭｎを第１所定値に戻すことができ、非演奏時におけるノイズが増幅されてスピーカ３６から発せられることを防止できる。
【００２７】
また、制御部３７が、振動検出器３２ｎを用いて振動板２１ｎの振動が十分に減衰したことを検出して増幅度ＡＭｎを第１所定値に戻す場合、制御部３７は、振動板２１ｎの振幅を監視する必要がある。本実施形態では、制御部３７は、増幅度ＡＭｎを第２所定値に設定したタイミングＴＭから保持時間ｐｔｎが経過したタイミングＴ１にて、増幅度ＡＭｎを第１所定値に戻す。よって、制御部３７は、振動板２１ｎの振幅を監視する必要がない。そのため、高い演算能力を備えた制御部３７を用いる必要が無い。
【００２８】
また、振動板２１ｎを振動させる機構と、増幅度ＡＭｎを変更するタイミングを決定するための操作子とが別々に設けられている場合には、両者の動作タイミングを一致させなければ、振動板２１ｎの振動波形（振幅）の変化と増幅度ＡＭｎの変化とを同期させることができない。これに対し、本実施形態の鍵１１ｎは、振動板２１ｎを振動させる機構の一部として機能するとともに、増幅度ＡＭｎを変化させるタイミングを決定するための操作子としても機能する。よって、本実施形態の構成によれば、振動板２１ｎの振動波形（振幅）の変化と増幅度ＡＭｎの変化とを容易に同期させることができる。
【００２９】
さらに、本発明の実施にあたっては、上記実施形態に限定されるものではなく、本発明の目的を逸脱しない限りにおいて種々の変更が可能である。
【００３０】
上記実施形態は、金属製の振動板２１ｎをはじいて発音させる楽器に本発明を適用した例である。しかし、本発明はこれに限られず、例えば、弦をはじいて発音させる楽器にも適用可能である。
【００３１】
また、オルゴール、ハープシコードなどにおいて、振動体をはじく際の振動体の撓みが大きいほど音量は大きくなり、且つその音の高調波成分が大きくなる。そこで、例えば、図６に示すように、プリアンプ３３ｎと加算器３４との間に低域通過型、低域遮断型などのフィルタＦＬｎを設け、フィルタＦＬｎのカットオフ（通過帯域）周波数を押鍵速度に応じて設定してもよい。例えば、低域通過型のフィルタＦＬｎを採用した場合において、押鍵速度が大きいほど、カットオフ周波数を高く設定する。これによれば、押鍵速度に応じて、音色を変更することができる。
【００３２】
また、上記実施形態では、制御部３７は、鍵１１ｎが押されたことを検出した後、増幅度ＡＭｎを第２所定値に設定し、所定の保持時間ｐｔｎが経過するまで、増幅度ＡＭｎを第２所定値に保持している。そして、増幅度ＡＭｎを第２所定値から第１所定値に急激（例えば、ステップ状）に変化させている。この場合、スピーカ３６から発せられる音に関して違和感が生じる虞がある。例えば、ノイズ成分が急激に減少したように聞こえる場合がある。そこで、図７に示すように、制御部３７は、増幅度ＡＭｎを、第２所定値から第１所定値に向かって徐々に減衰させても良い。この場合、単位時間当たりの増幅度ＡＭｎの減衰量は、第１所定値と第２所定値との差を保持時間ｐｔｎで除した値に設定される。また、図８に示すように、制御部３７は、増幅度ＡＭｎを、第２所定値から、第１所定値と第２所定値との間の第３所定値に向かって徐々に減衰させ、タイミングＴ１にて第１所定値に変更しても良い。また、制御部３７は、増幅度ＡＭｎを直線的に減衰させるのではなく、例えば、指数関数的に減衰させてもよい。これにより、上記のような違和感を生じ難くすることができる。
【００３３】
また、上記実施形態では、第２所定値は、全てのプリアンプ３３ｎに共通であるが、プリアンプ３３ｎごとに第２所定値を異ならせても良い。増幅度ＡＭｎを第２所定値から第１所定値に向かって減衰させる場合には、その減衰時間を、第２所定値に応じて設定すると良い。また、第２所定値に応じて、減衰率を設定しても良い。これによれば、例えば、所定の音域の音量を大きくすることができる。
【００３４】
また、楽器１は、従来の電子楽器と同様のダンパーペダルを備えていても良い。この場合、制御部３７は、ダンパーペダルのオン・オフ状態を検出する。制御部３７は、鍵１１ｎが解放され、且つダンパーペダルがオフ状態であるとき、増幅度ＡＭｎを第２所定値から第１所定値に戻す。すなわち、鍵１１ｎが解放されたとしても、ダンパーペダルが踏まれていれば（オン状態であるとき）、制御部３７は、増幅度ＡＭｎの値を、第２所定値から変更しない。
【００３５】
また、振動板２１ｎをはじく機構（鍵盤装置１０）の構成は、上記実施形態に限られない。たとえば、上記特許文献１に記載の鍵盤装置のように、円盤の周囲に爪が設けられた部材を一定の方向に回転させる機構を備えた鍵盤装置を採用しても良い。また、鍵１１ｎに代えて、スライドレバー、押しボタンスイッチなどを採用しても良い。
【００３６】
また、鍵操作検出器３１ｎの構成は、上記実施形態に限られない。例えば、鍵１１ｎの押鍵深さ、揺動角度などを検出する検出器を鍵操作検出器３１ｎとして用いてもよい。また、振動検出器３２ｎの構成は、上記実施形態に限られない。例えば、本体部２１１ｎの歪を検出する検出器を振動検出器３２ｎとして用いてもよい。また、爪１７ｎの位置（先端部の高さ）を検出する検出器を設け、爪１７ｎが振動体２１ｎをはじく前の所定の位置に到達したタイミングにて、増幅度ＡＭｎを第１所定値から第２所定値に変更しても良い。
【００３７】
また、楽器１は、予め設定された発音情報（曲データ）に従って鍵１１ｎを駆動するアクチュエータを備えていても良い。また、楽器１は、予め設定された発音情報に従って振動板２１ｎを直接的にはじくアクチュエータを備えていても良い。
【００３８】
また、上記実施形態においては、楽器１は、振動板２１ｎ＝Ｃ３，Ｃ＃３，・・・，Ｃ５にそれぞれ対応したプリアンプ３３ｎ＝Ｃ３，Ｃ＃３，・・・，Ｃ５を備えている。しかし、プリアンプ３３の数が振動板２１の数よりも少なくても良い。この場合、所定のルールに従って、振動板２１に対してプリアンプ３３を割り当てればよい。例えば、振動中の振動板２１のうち、振動開始時刻が最も古い振動板２１に割り当てられたプリアンプ３３を、新たに振動開始した振動板２１に割り当てるとよい。
【００３９】
また、上記実施形態では、楽器１は、共鳴箱２２を備えているが、共鳴音が不要である場合には、共鳴箱２２を削除しても良い。この場合、振動板２１ｎを支持する支持部材を設ければよい。例えば、前記支持部材として、左右方向に延びるレール状の部材を設ければよい。また、例えば、前記支持部材として、振動板２１ｎごとに、上下方向に延びる柱状の部材を設けても良い。
【００４０】
また、楽器１は、従来の電子楽器と同様に、電子的に合成された楽音を発生する装置を備え、前記振動板２１ｎの振動を増幅して得られた楽音と、前記電子的に合成された楽音とが同時にスピーカ３６から放音されてもよい。
【符号の説明】
【００４１】
１・・・楽器、１０・・・鍵盤装置、１１ｎ・・・鍵、１２・・・フレーム、１３ｎ・・・鍵支持部、１４，１５・・・ストッパ、１７ｎ・・・爪、１８ｎ・・・連結部材、２０・・・音源部、２１ｎ・・・振動板、２２・・・共鳴箱、３０・・・サウンドシステム、３１ｎ・・・鍵操作検出器、３２ｎ・・・振動検出器、３３ｎ・・・プリアンプ、３４・・・加算器、３５・・・パワーアンプ、３６・・・スピーカ、３７・・・制御部、１３１ｎ・・・軸部、２１１ｎ・・・本体部、２１２ｎ・・・基端部、ＡＭｎ・・・増幅度、ＦＬｎ・・・フィルタ、ＶＳｎ・・・振動信号
【図１】
0006707899.tif 000002
【図２】
0006707899.tif 000003
【図３】
0006707899.tif 000004
【図４】
0006707899.tif 000005
【図５】
0006707899.tif 000006
【図６】
0006707899.tif 000007
【図７】
0006707899.tif 000008
【図８】
0006707899.tif 000009